(57)【要約】【課題】  原稿を読み取って電子ファイル化して保存する際に、電子ファイルのファイル名を付与する必要があるが、このファイル名として日付、時刻等、一意であるという条件を満たす程度の文字列を付与する方法や、ファイル名を文字入力して付与する方法があるが、前者は、管理上の問題があり、後者は操作が面倒であるという問題があった。【解決手段】  原稿を読み取って電子ファイル化した画像データをＲＡＭ４に一時保存し、予め第２の記憶部５に保存したキーデータを組み合わせて生成したファイル名候補をタッチパネル６ａに表示させ、ユーザーが、タッチパネル６ａに表示されたファイル名候補から読み取った電子ファイルに相応しいファイル名を選択するのを受けて、選択されたファイル名とＲＡＭ４に一時保存した画像データを対応させ、画像データファイルとして第１の記憶部８に保存する。【選択図】        図１
2006072892.tif 000002
【特許請求の範囲】
【請求項１】
画像情報を入力する画像入力手段と、
前記画像入力手段で入力した画像情報を電子ファイル化する制御手段と、
ファイル名候補を表示する表示手段と、
前記表示手段によって表示されるファイル名候補のうち、ユーザーによって選択されたファイル名候補を特定する選択手段と、
画像データファイルを保存する第１の記憶手段と
を有し、
前記制御手段が、電子ファイル化された前記画像情報に、前記選択手段で特定されたファイル名候補をファイル名として対応させた画像データファイルを、前記第１の記憶手段に保存することを特徴とする画像処理装置。
【請求項２】
画像情報を入力する画像入力手段と、
前記画像入力手段で入力した画像情報を電子ファイル化する制御手段と、
ファイル名候補を表示する表示手段と、
前記表示手段によって表示されるファイル名候補のうち、ユーザーによって選択されたファイル名候補を特定する選択手段と、
電子ファイル化されたデータを送信する送信制御手段と
を有し、
前記制御手段が、電子ファイル化された前記画像情報に、前記選択手段で特定されたファイル名候補をファイル名として対応させた画像データファイルを前記送信制御手段に送信させることを特徴とする画像処理装置。
【請求項３】
前記ファイル名候補を構成する複数のキーデータを保存する第２の記憶手段を有し、前記制御手段によって、前記複数のキーデータを組み合わせて前記ファイル名候補の一部或いは全部を生成することを特徴とする請求項１又は２記載の画像処理装置。
【請求項４】
前記画像情報の様態を解析する画像解析手段を有し、前記画像解析手段の解析結果に基づいて前記表示手段に表示するファイル名候補を特定することを特徴とする請求項１又は２記載の画像処理装置。
【請求項５】
前記画像情報の様態を解析する画像解析手段を有し、前記画像解析手段の解析結果に基づいて、前記複数のキーデータから、前記ファイル名候補の生成のために組み合わせられるキーデータを選択することを特徴とする請求項３記載の画像処理装置。
【請求項６】
前記画像情報に含まれるコードデータを解析するコード処理手段を有し、前記コード処理手段の解析結果に基づいて前記表示手段に表示するファイル名候補を特定することを特徴とする請求項１又は２記載の画像処理装置。
【請求項７】
コードデータと前記ファイル名候補を生成するための命名規則を対応させて保存する第３の記憶手段を有し、前記画像情報に含まれるコードデータと一致するコードデータが前記第３の記憶手段に保存されている場合、前記画像情報に含まれるコードデータと一致するコードデータに対応して保存されている前記命名規則に基づいて前記ファイル名候補を生成することを特徴とする請求項６記載の画像処理装置。
【請求項８】
ユーザーによって入力されるファイル名候補抽出情報を保存する第４の記憶手段を有し、
前記ファイル名候補抽出情報に基づいて前記表示手段に表示するファイル名候補を特定することを特徴とする請求項１又は２記載の画像処理装置。
【請求項９】
ユーザーによって入力されるファイル名候補抽出情報を保存する第４の記憶手段を有し、
前記ファイル名候補抽出情報に基づいて、前記複数のキーデータから、前記ファイル名候補の生成のために組み合わせられるキーデータを選択することを特徴とする請求項３記載の画像処理装置。
【請求項１０】
電子ファイル化されたデータを送信する送信制御手段を有し、
前記制御手段が、電子ファイル化された前記画像情報に、前記選択手段で特定されたファイル名候補をファイル名として対応させた画像データファイルを前記送信制御手段に送信させることを特徴とする請求項１記載の画像処理装置。
【請求項１１】
前記制御手段が、前記画像情報と共に、画像を読み込む際の設定のセット情報を電子ファイル化し、電子ファイル化された設定のセット情報に、前記選択手段で特定されたファイル名候補をファイル名として対応させたセットデータファイルを、前記第１の記憶手段に保存することを特徴とする請求項１記載の画像処理装置。
【請求項１２】
前記制御手段が、前記画像情報と共に、画像を読み込んだ後の履歴情報を電子ファイル化し、電子ファイル化された履歴情報に、前記選択手段で特定されたファイル名候補をファイル名として対応させた履歴データファイルを、前記第１の記憶手段に保存することを特徴とする請求項１記載の画像処理装置。
【発明の詳細な説明】
【技術分野】
【０００１】
本発明は、画像処理装置に関し、特に画像データを保存管理することの出来る画像処理装置に関する。
【背景技術】
【０００２】
一般に、画像入力手段から画像を読み込み、処理をする画像処理装置において、読み取った画像情報や、その読み取り時の設定のセット等の電子データのファイルの名称は、キーボード操作によってユーザーに名称を入力させる方法や、単に連番として付与する付与方法等によって設定されていた。更には日付、時刻等の、一意であるという条件を満たす程度の付与方法があった（例えば、特許文献１参照）。
【０００３】
【特許文献１】特開平５―１２３４１号公報（第２頁、図１）
【発明の開示】
【発明が解決しようとする課題】
【０００４】
電子データのファイル名として、単に連番を付与す方法や、日付、時刻等、一意であるという条件を満たす程度の文字列を付与する方法では、ユーザーが後から見て、そのファイル名の電子データが何の目的で処理されたのかを思い出すことが難しい。また、ユーザーに名称を入力させる付与方法では、読み取った画像情報を保存する際に文字入力操作が必要となり、煩わしかった。
【０００５】
本発明の目的は、これらの問題点を解消し、ユーザーの手をあまり煩わすことなく、保存管理する電子データに対して、後にその内容を容易に認識できる程度の名称を与えて保管することが可能な画像処理装置を提供することにある。
【課題を解決するための手段】
【０００６】
本発明による画像処理装置は、
画像情報を入力する画像入力手段と、前記画像入力手段で入力した画像情報を電子ファイル化する制御手段と、ファイル名候補を表示する表示手段と、前記表示手段によって表示されるファイル名候補のうち、ユーザーによって選択されたファイル名候補を特定する選択手段と、画像データファイルを保存する第１の記憶手段とを有し、
前記制御手段が、電子ファイル化された前記画像情報に、前記選択手段で特定されたファイル名候補をファイル名として対応させた画像データファイルを、前記第１の記憶手段に保存することを特徴とする。
【０００７】
また、別の発明による画像処理装置は、
画像情報を入力する画像入力手段と、前記画像入力手段で入力した画像情報を電子ファイル化する制御手段と、ファイル名候補を表示する表示手段と、前記表示手段によって表示されるファイル名候補のうち、ユーザーによって選択されたファイル名候補を特定する選択手段と、電子ファイル化されたデータを送信する送信制御手段とを有し、
前記制御手段が、電子ファイル化された前記画像情報に、前記選択手段で特定されたファイル名候補をファイル名として対応させた画像データファイルを前記送信制御手段に送信させることを特徴とする。
【発明の効果】
【０００８】
本発明の画像処理装置によれば、入力した画像情報を電子ファイル化して保存する際に、ユーザーが、ファイル名入力等の煩わしい操作を行なうことなく、用意されたファイル名候補を選択することにより適当なファイル名を付して保存することができる。また、電子ファイルは、適当なファイル名を付して保存されるため、後にそのファイルの内容を容易に確認でき、電子ファイルを保存管理する上で便利となる。
【発明を実施するための最良の形態】
【０００９】
実施の形態１．
図１は、本発明による実施の形態１の画像処理装置１における信号処理系の要部構成を示すブロック図であり、図２は、実施の形態１の画像処理装置１の要部外観図である。
【００１０】
図１に示すように、画像処理装置１は、画像情報を入力することが可能な画像入力部２、この画像入力部２により入力された画像情報を電子ファイル化する制御部３、電子ファイル化された画像情報である画像データを一時保存するＲＡＭ４、後述するようにファイル名候補を生成するためのキーデータを保存する第２の記憶部５、生成したファイル名候補を表示する表示部６、この表示部６のタッチパネル６ａに表示されたファイル名候補から所望のファイル名候補を選択する選択部７、画像データにファイル名を付した画像データファイルを保存する第１の記憶部８を備えている。制御部３は、後述するように所定の構成要素を制御して、第２の記憶部５よりキーデータを読み出してファイル名候補を生成して表示部６に表示させ、ＲＡＭ４に一時保存されている電子ファイル化された画像データに対して選択部７により選択されたファイル名を対応させ、画像データファイルとして第１の記憶部８に保存する。
【００１１】
図２の要部外観図に示すように、画像処理装置１は、装置本体１１と、この本体１１に対して回動自在に備えられた原稿カバー１２とを備えている。装置本体１１には、表示部６と読み取り原稿をのせる載置ガラス１４、載置ガラス１４の内側にあって、載置ガラス１４にのせられた原稿の有無を検出する原稿センサ１３、この原稿を読み取るイメージリーダー（図示せず）が備えられている。表示部６は、表示面がタッチパネル６ａで構成され、後述するように、表示面に表示される表示内容に基づいて、ユーザーがタッチパネル６ａを押圧する時の操作内容を検出し、その検出情報を選択部７（図１）に送る。尚、この外観図で、載置ガラス１４にのせられた原稿を読み取るための構成要素、例えば、載置ガラス１４、イメージリーダー、原稿カバー１２、原稿センサ１３等が図１に示す画像入力部２に相当する。
【００１２】
以上の構成において、画像処理装置１の動作について以下に説明する。図３は、この画像処理装置１が行なう「ファイル名候補の設定動作」の流れを示すフローチャートである。先ず、このフローチャートを参照しながら、「ファイル名候補の設定動作」について以下に説明する。
【００１３】
装置が稼動してプログラムがスタートすると、制御部３は、図４に示すように、表示部６の表示面（以後、タッチパネル６ａとする）に「ファイル名候補の設定」ボタン２１ａと「読み取りスタート」ボタン２１ｂを配置した待機画面２１を表示させ（ステップＳ１０１）、この状態で、ユーザーが「ファイル名候補の設定」ボタン２１ａを押下するのを監視する待機状態となる（ステップＳ１０２）。制御部３は、選択部７を介してユーザーによる「ファイル名候補の設定」ボタン２１ａ（図４）の押下を検出すると、タッチパネル６ａ（図１）に、図５に示す「ファイル名候補設定」画面２２を表示する（ステップＳ１０３）。次に、ユーザーが、「ファイル名候補設定」画面２２（図５）の下部にあるスクリーンキーボード２２ａを用いて行なうキーデータの入力が行なわれるのを監視する（ステップＳ１０４）。尚、ここでいうキーデータとは、ファイル名候補を生成するために必要となるデータのことである。
【００１４】
キーデータの入力方法としては、例えば「ファイル名候補設定」画面２２（図５）におけるキーグループ１の領域２２ｂ、或いはキーグループ２の領域２２ｃを押下することにより、キーグループ１或いはキーグループ２に対して新しいキーデータが登録できるようになり、即に登録されている各々のキーデータの領域２２ｄを押下することにより、各々のキーデータの文字列が編集できるようになっている。
【００１５】
以上のようにして、新たなキーデータの入力或いは既存のキーデータの編集が完了すると、制御部３は、ユーザーがその入力を確定させるべく、「ファイル名候補設定」画面２２（図５）内にある「決定」ボタン２２ｅを押下するのを監視する（ステップＳ１０５）。やがてこの「決定」ボタン２２ｅの押下を確認すると、選択部７（図１）によって、第２の記憶部５に、入力が確定したキーデータを保存する（ステップＳ１０６）。入力が確定したキーデータは、図６に示すように、それぞれが属するキーグループ１又はキーグループ２に対応するようにして第２の記憶部５に保存される。
【００１６】
その後装置は、ステップＳ１０１に戻って再び待機状態となるため、上記した「ファイル名候補の設定動作」を繰り返し実行することができる。
【００１７】
次に、「ファイル名候補設定」画面２２（図５）によって設定したキーデータを用いて、読み取った画像データに対してファイル名を付与する「ファイル名付与動作」について説明する。図７は、この「ファイル名付与動作」の流を示すフローチャートであり、このフローチャートを参照しながら、「ファイル名付与動作」について以下に説明する。
【００１８】
装置が稼動してこのプログラムがスタートすると、制御部３（図１）は、図４に示すように、表示部６のタッチパネル６ａに「ファイル名候補の設定」ボタン２１ａと「読み取りスタート」ボタン２１ｂを配置した待機画面２１を表示させ（ステップＳ１１１）、この状態で、ユーザーが「読み取りスタート」ボタン２１ｂを押下するのを監視する待機状態となる（ステップＳ１１２）。
【００１９】
ユーザーは、「ファイル名付与動作」を実行する場合、画像処理装置１の載置ガラス１４（図２）上に原稿をセットした後、「読み取りスタート」ボタン２１ｂを押下して読み取りを指示する。制御部３は、選択部７を介してユーザーによるこの「読み取りスタート」ボタン２１ｂの押下を検出すると、原稿センサ１３（図２）によって読み取り原稿がセットされているのを確認し（ステップＳ１１３）、画像入力部１を制御して画像の読み取りを実行する（ステップＳ１１４）。もし原稿がセットされていない場合は、ステップＳ１１３で原稿がセットされるまで待機するが、ここで、原稿をセットするように促す表示を行なうようにしても良い。
【００２０】
その後、制御部３は、読取った画像を電子ファイル化し、電子ファイル化した画像データをＲＡＭ４に一時保存する（ステップＳ１１５）。そして選択部７によって、第２の記憶部５に記憶されているファイル名候補のキーデータを読み出し（ステップＳ１１６）、以下のようにファイル名候補を生成する（ステップＳ１１７）。
【００２１】
この時のファイル名候補の生成方法は、図８に示すように、「キーグループ１、の文字列」、「＿（アンダーバー）」、「キーグループ２、の文字列」を順に結合して、更に３桁の通し番号を付加し、最後にファイルの拡張子を付加するというものである。これを全ての組み合わせに対して適用する。しかし、前述した生成ルールを適用せず、単に「Ｆｉｌｅ」、「通し番号」を結合したものも生成しても良い。この時選択部７は、第１の記憶部８に既に格納されている画像データファイルのファイル名を調査して同じファイル名が存在するか否を確認し（ステップＳ１１８）、存在する場合は、別の通し番号を付与する（ステップＳ１１９）。
【００２２】
以上のようにしてファイル名候補を生成した後、これらのファイル名候補をタッチパネル６ａ（図２）に表示する（ステップＳ１２０）。図９は、この時タッチパネル６ａに表示される「ファイル名選択」画面２５を示す。
【００２３】
ユーザーは、表示された「ファイル名選択」画面２５を参照し、表示されたファイル名候補の一欄から、ＲＡＭ４に一時保存されている画像データに最も適するファイル名候補をファイル名として選び、そのファイル名候補が表示されているファイル名候補表示領域２５ａを押下する。制御部３は、ユーザーによるこのファイル名候補表示領域２５ａの押下を監視し（ステップＳ１２１）、やがてこのファイル名候補表示領域２５ａの押下を確認すると、ここで押下したファイル名候補表示領域２５ａのファイル名候補をファイル名として、例えば第２の記憶部５の別領域に保存する（ステップＳ１２２）。そして電子ファイル化されてＲＡＭ４に一時保存されている画像データにこのファイル名を対応させた画像データファイルを第１の記憶部８に保存する（ステップＳ１２３）。その後装置は、ステップＳ１１１に戻って再び待機状態となるため、上記した「ファイル名付与動作」を繰り返し実行することができる。
【００２４】
尚、「ファイル名選択」画面２５において、次ページボタン２５ｂは、表示されていない残りのファイル名候補がある場合、これを順次表示させるための操作ボタンであり、データ表示領域２５ｃは、既に保存されている画像データファイルのファイル名を示すアイコンを表示する領域であり、矢印２５ｅ，２５ｆは、このアイコンを順次スクロールするための操作ボタンである。
【００２５】
上記した本実施の形態１の画像処理装置１では、ファイル名候補を、各キーグループに属するキーデータの全ての組み合わせによって生成し、生成したファイル名候補を、全て図９に示す「ファイル名選択」画面２５に表示したが、ここで、例えばファイル名候補抽出情報を保存する第４の記憶部（図示せず）を備えることによって、第４の記憶部に記憶された抽出情報に基づいて、第２の記憶部５よりキーデータを読み出してファイル名候補を表示させる方法について以下に説明する。
【００２６】
この場合ユーザーは、ステップＳ１１２で読み取り指示を出す際に、セットした原稿の内容に応じて、その内容に適したファイル名候補抽出情報、例えば「議事録」を入力する。このファイル名候補抽出情報の入力は、例えば図４に示す待機画面２１に、ファイル名候補抽出情報を入力するための入力枠（図示せず）と、図５に示すスクリーンキーボード２２ａと同様のスクリーンキーボード（図示せず）を表示させ、このスクリーンキーボードを操作して入力枠にファイル名候補抽出情報を入力するようにして実行できる。
【００２７】
この時選択部７は、入力したファイル名候補抽出情報「議事録」という文字列を第４の記憶部に保存する。そして、ステップＳ１１７でファイル名候補を生成する際に、キーグループ１に
“議事録” というキーデータがあれば、この“議事録”以外のキーデータは、キーグループ１のファイル名候補として用いないようにする。このように設定することで、使用する可能性のないファイル名候補を生成することがなくなるので、ユーザーの希望に近いファイル名候補のみが表示されるようになり、選択対象となるファイル名候補が絞られて数が減るため、ユーザーによるファイル名候補の選択作業が容易となる。
【００２８】
また、本実施の形態では、一つの画像データに対して一つのファイル名を付与する例を説明したが、複数の画像を読み込んだ後に、読み込んだ複数の画像データに対して一括してファイル名を付与するようにしてもよい。この場合、例えば図７のフローチャートのステップＳ１１５に換えて、図１０に示すように、ステップＳ１１５ａ、ステップＳ１１５ｂ、ステップＳ１１５ｃを追加し、更にステップＳ１２３の後段にステップＳ１２４を追加して実行する。
【００２９】
即ち、ステップＳ１１４で画像の読み取りが終了し、電子化した画像データをＲＡＭ４に保存する際に、一時的なファイル名を付与して保存し（ステップＳ１１５ａ）、ここで次の読み取りを行なうか、ファイル名をファイル名候補から選択する処理を行なうかを選択する（ステップＳ１１５ｂ）。このため、このステップＳ１１５ｂでは次の読み取りを行なわせるためのボタンと、ファイル名をファイル名候補から選択する処理を行なわせるためのボタンを持つ画面（図示せず）をタッチパネル６ａに表示する。そして、ユーザーが次の読み取りを行なわせるためのボタンを押下した時には、ステップＳ１１１に戻って次の読み取りを開始し、ファイル名をファイル名候補から選択する処理を行なわせるためのボタンを押下したときには、ステップＳ１１５ｃに至る。
【００３０】
このステップＳ１１５ｃでは、ＲＡＭ４に複数の画像データが保存されている場合、そのうち、ファイル名選択の対象となる画像データを、先に入力したものから順に選択する。そして前記したステップＳ１１６〜ステップＳ１２３（図７）によって、ここで選択された画像データにファイル名を対応させた画像データファイルを第１の記憶部８に保存する。
【００３１】
そしてステップＳ１２４で、ＲＡＭ４に画像データが残っている場合は、再びステップ１１５ｃに戻って、ＲＡＭ４に残っている画像データに対して順次ファイル名をつけて第１の記憶部８に保存する。以上のように構成することによって、複数の画像を読み込んだ後に、読み込んだ複数の画像データに対して一括してファイル名を付与するようにすることができる。
【００３２】
また、前記した本実施の形態の画像処理装置１では、例えば図３に示すフローのステップＳ１０２、ステップＳ１０４、及びステップＳ１０５において、ユーザーによる操作待ち状態がいつまでも継続されるように設定したが、これらの各ステップで所定時間入力が行われない場合、ステップ１０１に戻って待機状態となるように構成しても良い。これは、図７に示すフローのステップ１１２、ステップＳ１１３、及びステップＳ１２１においても同様である。
【００３３】
また、本実施の形態では、画像を読み取って保存するだけの画像処理装置を例にして説明したが、これに限定されるものではなく、画像を保存する機能を有するものであれば、ファクシミリや、コピー、ファクシミリ、プリンタなどの機能を集約したＭＦＰ（Ｍｕｌｔｉｆｕｎｃｔｉｏｎ  Ｐｅｒｉｐｈｅｒａｌｓ）などにも適用可能である。
【００３４】
また、本実施の形態では、制御部３が、ＲＡＭ４に一時保存した画像データに対してファイル名を付与して第１の記憶部８に保存する例を示したが、これに限定されるものではなく、この画像データを読み込む際の設定のセット情報、即ちガンマ値、解像度、色調、用紙サイズ等の各設定値情報を、電子ファイル化したセットデータとして同じくＲＡＭ４に一時保存し、このセットデータに画像データに対するファイル名と同じファイル名を付したセットデータファイルを第１の記憶部８に保存するようにしても良い。但し、この場合、拡張子を「・・・．ｂｍｐ」に代え、例えば「・・・．ｓｅｔ」として区別する。
【００３５】
また、本実施の形態では、制御部３が、ＲＡＭ４に一時保存した画像データに対してファイル名を付与して第１の記憶部８に保存する例を示したが、これに限定されるものではなく、この画像データの読み取りに関する履歴情報、例えば同じ原稿を設定のセットを変えて読み込んだ際の設定のセットや、その読み込み時刻等の履歴情報を、電子ファイル化した履歴データとして同じくＲＡＭ４に一時保存し、この履歴データに画像データに対するファイル名と同じファイル名を付した履歴データファイルを第１の記憶部８に保存するようにしても良い。但し、この場合、拡張子を「・・・．ｂｍｐ」に代え、例えば「・・・．ｈｉｓ」として区別する。
【００３６】
また、本実施の形態では、ユーザーがファイル名候補を作成するためのキーデータを入力する手順を含む例を説明したが、これに限定されるものではなく、例えば複数のファイル名候補を予め固定的に保存しておくように構成してもよい。この場合、ファイル名候補を作成するためのキーデータを入力しなくてもよいので、操作性が更に向上する。
【００３７】
更に、本実施の形態では、ファイル名が付された画像データファイルを画像処理装置内にある記憶部（第１の記憶部８）に保存する例を示したが、画像処理装置外の記憶部、例えばファイルサーバに保存するように構成しても良い。
【００３８】
以上のように、実施の形態１の画像処理装置によれば、複数のファイル名候補を表示させ、このファイル名候補から所望のファイル名候補を選択してファイル名を決めているので、電子ファイル化したデータにファイル名を対応させて保存する際に、ユーザーがファイル名を入力する必要がなく、簡単にファイル名を設定することができる。また、電子化したデータには適当なファイル名が付されて保存されるので、ユーザーが後から見て、ファイルされている電子データの内容が確認でき、その電子データが何の目的で処理されたのかを思い出すことも容易となる。従って、画像データファイルやセットデータファイルの再利用も容易となる。
【００３９】
また、第２の記憶部５に保存したキーデータを組み合わせて生成したファイル名候補をタッチパネルに表示させているため、表示させるファイル名候補を全て保存しておく場合に比べ、保存のための記憶部の記憶容量を節約することができる。
【００４０】
実施の形態２．
図１１は、本発明による実施の形態２の画像処理装置３１における信号処理系の要部構成を示すブロック図である。この実施の形態２の画像処理装置３１が、前記した図１に示す実施の形態１の画像処理装置１と主に異なる点は、画像データ解析部３２が追加された点と、制御部３３の制御処理内容である。従って、この画像処理装置３１が、前記した実施の形態１の画像処理装置１（図１）と共通する部分には同符号を付して、或いは図面を省いてここでの説明を省略し、異なる点を重点的に説明する。
【００４１】
画像データ解析部３２は、画像入力部２から入力される画像データの複雑性を調査する。即ち、受信した画像データにおける白のビットの連続性と、白から白以外へのビットの変化の頻度を計算し、白のビットの連続性が高く、白から白以外への変化の頻度が少ない場合には、受信した画像データが文字原稿であると判断する。逆に白のビットの連続性が低く、白から白以外への変化の頻度が多い場合、受信した画像データが、写真原稿であると判定する。
【００４２】
文字原稿か写真原稿であるかの判断は、統計的に定められた、白ビットの連続性と白以外のビットへの変化の頻度を示す固定値と、受信した画像データから算出したこれらの値の比較によって行なわれるものとする。
【００４３】
以上の構成において、画像処理装置３１の動作について以下に説明する。図１２は、この画像処理装置３１が行なう「ファイル名候補の設定動作」の流れを示すフローチャートである。このフローチャートを参照しながら、「ファイル名候補の設定動作」について以下に説明する。
【００４４】
装置が稼動してプログラムがスタートすると、制御部３３は、図４に示すように、表示部６のタッチパネル６ａに「ファイル名候補の設定」ボタン２１ａと「読み取りスタート」ボタン２１ｂを配置した待機画面２１を表示させ（ステップＳ２０１）、この状態で、ユーザーが「ファイル名候補の設定」ボタン２１ａを押下するのを監視する待機状態となる（ステップＳ２０２）。制御部３３は、選択部７を介してユーザーによる「ファイル名候補の設定」ボタン２１ａ（図４）の押下を検出すると、タッチパネル６ａ（図１）に、図１３に示す「ファイル名候補の設定」画面３４を表示する（ステップＳ２０３）。次に、ユーザーが、「ファイル名候補設定」画面３４（図１３）の下部にあるスクリーンキーボード３４ａを用いて行なうキーデータ入力が行なわれ、更に後述する候補となる識別マークの設定が実施されるのを監視する（ステップＳ２０４）。尚、ここでいうキーデータとは、ファイル名候補を生成するために必要となるデータのことである。
【００４５】
キーデータの入力方法は、例えば「ファイル名候補設定」画面３４（図１３）におけるキーグループ１の領域３４ｂ、或いはキーグループ２の領域３４ｃを押下することにより、キーグループ１或いはキーグループ２に対して新しいキーデータが登録できるようになり、即に登録されている各々のキーデータの領域３４ｄを押下することにより、各々のキーデータの文字列が編集できるようになっている。
【００４６】
また、候補となる識別マークとは、後述する「ファイル名付与動作」時に、読取った画像が写真原稿であると判断された場合、或いは文字原稿であると判断された場合に、そのキーデータをファイル名候補としてあげるかどうかを識別するためのマークのことである。「ファイル名候補設定」画面３４（図１３）において、各キーデータが記述される行の右側の候補設定の欄を押下する毎に、写真原稿であると判断された場合に候補とする識別マーク「Ｐ」の状態、文字原稿であると判断された場合に候補とする識別マーク「Ｔ」の状態、どの場合でも候補とする「マーク無し」の状態に順次変化し、選択設定することができる。
【００４７】
以上のようにして、新たなキーデータの入力或いは既存のキーデータの編集が完了し、更に候補となる識別マークが設定されると、制御部３３は、ユーザーがその入力を確定させるべく、「ファイル名候補設定」画面３４（図１３）内にある「決定」ボタン３４ｅを押下するのを監視する（ステップＳ２０５）。やがてこの「決定」ボタン３４ｅの押下を確認すると、選択部７（図１１）によって、第２の記憶部５に、入力が確定したキーデータと識別マークを保存する（ステップＳ２０６）。入力が確定したキーデータは、図１４に示すように、それぞれが属するキーグループ１又はキーグループ２に対応するようして、識別マークと共に第２の記憶部５に保存される。
【００４８】
その後装置は、ステップＳ２０１に戻って、再び待機状態となるため、上記した「ファイル名候補の設定動作」を繰り返し実行することができる。
【００４９】
次に、「ファイル名候補設定」画面３４（図１３）によって設定したキーデータを用いて、読み取った画像データに対してファイル名を付与する「ファイル名付与動作」について説明する。図１５は、この「ファイル名付与動作」の流を示すフローチャートであり、このフローチャートを参照しながら、「ファイル名付与動作」について以下に説明する。
【００５０】
装置が稼動してこのプログラムがスタートすると、制御部３３（図１１）は、図４に示すように、表示部６のタッチパネル６ａ（図２）に「ファイル名候補の設定」ボタン２１ａと「読み取りスタート」ボタン２１ｂを配置した待機画面２１を表示させ（ステップＳ２１１）、この状態で、ユーザーが「読み取りスタート」ボタン２１ｂを押下するのを監視する待機状態となる（ステップＳ２１２）。
【００５１】
ユーザーは、「ファイル名付与動作」を実行する場合、画像処理装置１の載置ガラス１４（図２）上に原稿をセットした後、「読み取りスタート」ボタン２１ｂを押下して読み取りを指示するが、制御部３３は、選択部７を介してユーザーによるこの「読み取りスタート」ボタン２１ｂの押下を検出すると、原稿センサ１３（図２）によって読み取り原稿がセットされているのを確認し（ステップＳ２１３）、画像入力部１を制御して画像の読み取りを実行する（ステップＳ２１４）。もし原稿がセットされていない場合は、ステップＳ２１３で原稿がセットされるまで待機するが、ここで、原稿をセットするように促す表示を行なうようにしても良い。  
【００５２】
その後、制御部３３は、読取った画像を電子ファイル化し、電子ファイル化した画像データをＲＡＭ４に一時保存すると共に（ステップＳ２１５）、画像データ解析部３２による、読み取った画像データの複雑性の調査、即ち読み取った画像データが文字原稿であるか写真原稿であるかを判断し、その調査結果をＲＡＭ３１に一時保存する（ステップＳ２１６）。そして選択部７によって、第２の記憶部５に記憶されているファイル名候補のキーデータを読み出し（ステップＳ２１７）、以下のようにファイル名候補を生成する（ステップＳ２１８）。
【００５３】
この時のファイル名候補の生成方法は、図１６に示すように、「キーグループ１、の文字列」、「＿（アンダーバー）」、「キーグループ２、の文字列」を順に結合して、更に３桁の通し番号を付加し、最後にファイルの拡張子を付加するというものである。これを全ての組み合わせに対して適用する。但し、この時、ステップＳ２１６における画像データの複雑性の調査の結果を参照し（ステップＳ２１９）、画像解析部３２によって、読み取った画像が文字原稿と判定された場合は、「ファイル名候補設定」画面３４（図１３）の候補設定欄に識別マーク「Ｐ」と付されたキーデータを組み合わせたファイル名候補を除き（ステップＳ２２０）、逆に読み取った画像が写真原稿と判定された場合は、「ファイル名候補設定」画面３４（図１３）の候補設定欄に識別マーク「Ｔ」と付されたキーデータを組み合わせたファイル名候補を除く（ステップＳ２２１）。しかし、前述した生成ルールを適用せず、単に“Ｆｉｌｅ”、“通し番号”を結合したものも生成しても良い。
【００５４】
この時選択部７は、第１の記憶部８に既に格納されている画像データファイルのファイル名を調査して同じファイル名が存在するか否を確認し（ステップＳ２２２）、存在する場合は、別の通し番号を付与する（ステップＳ２２３）。
【００５５】
以上のようにしてファイル名候補を生成した後、これらのファイル名候補をタッチパネル６ａに表示する（ステップＳ２２４）。図１７は、この時タッチパネル６ａに表示される「ファイル名選択」画面３５を示す。ここでは、ステップＳ２１９で、読み取った画像が文字原稿と判断され、ステップＳ２２０を経由して処理された例を示している。従って、「ファイル名候補設定」画面３４（図１３）の候補設定欄に識別マーク「Ｐ」が付されたキーデータ「カタログ」を含むファイル名候補が除かれている。
【００５６】
ユーザーは、表示された「ファイル名選択」画面３５を参照し、表示されたファイル名候補の一欄から、ＲＡＭ４に一時保存されている画像データに最も適するファイル名候補をファイル名として選び、そのファイル名候補が表示されているファイル名候補表示領域３５ａを押下する。制御部３３は、ユーザーによるこのファイル名候補表示領域３５ａの押下を監視し（ステップＳ２２５）、やがてこのファイル名候補表示領域３５ａの押下を確認すると、ここで押下したファイル名候補表示領域３５ａのファイル名候補をファイル名として、例えば第２の記憶部５の別領域に保存する（ステップＳ２２６）。そして電子ファイル化されてＲＡＭ４に一時保存されている画像データにこのファイル名を対応させた画像データファイルを第１の記憶部８に保存する（ステップＳ２２７）。その後装置は、ステップＳ２１１に戻って再び待機状態となるため、上記した「ファイル名付与動作」を繰り返し実行することができる。
【００５７】
尚、「ファイル名選択」画面３５において、データ表示領域３５ｃは、既に保存されているデータファイルのファイル名を示すアイコンを表示する領域であり、矢印３５ｅ，３５ｆは、このアイコンを順次スクロールするための操作ボタンである。
【００５８】
また、本実施の形態では、読み取った画像データの複雑性を解析する例を説明したが、これに限定されるものではなく、例えば画像の色や、輝度を解析して原稿の内容を判断することも可能である。
【００５９】
以上のように、実施の形態２の画像処理装置３１によれば、画像データの内容からファイル名候補を絞り込むため、前記した実施の形態１の装置の効果に加えて、ユーザーが特別な操作をすることなく、読み取る原稿の用途や目的に応じた所望のファイル名候補を速やかに見つけ、適切なファイル名を付与することができる。
【００６０】
実施の形態３．
図１８は、本発明による実施の形態３の画像処理装置４１における信号処理系の要部構成を示すブロック図である。この実施の形態２の画像処理装置４１が、前記した図１に示す実施の形態１の画像処理装置１と主に異なる点は、コード処理部４２、コードデータ格納部４３、Ｅメール処理制御部４４、及びネットワークインターフェース４５が追加された点と、制御部３３による制御処理及び第３の記憶部４６による保存の各内容である。従って、この画像処理装置４１が、前記した実施の形態１の画像処理装置１（図１）と構成的に共通する部分には同符号を付して、或いは図面を省いてここでの説明を省略し、異なる点を重点的に説明する。
【００６１】
Ｅメール処理制御部４４は、画像入力部２によって読み取られ、ＲＡＭ４に一時保持される画像データを、添付ファイルとするＥメール送信を行なうための制御を行なう。ネットワークインターフェース４５は、図示しないＥメール送信サーバと通信するネットワークインターフェースカードである。コード処理部４２は、読み取り画像の特定のコードの登録と解析を行ない、コードデータ格納部４３には、コードデータ番号が付された特定のコードデータが格納されている。
【００６２】
以上の構成において、画像処理装置４１の動作について以下に説明する。図１９は、この画像処理装置４１が行なう「ファイル名候補の設定動作」の流れを示すフローチャートである。このフローチャートを参照しながら、「ファイル名候補の設定動作」について以下に説明する。  
【００６３】
装置が稼動してプログラムがスタートすると、制御部４９は、図４に示すように、表示部６のタッチパネル６ａに「ファイル名候補の設定」ボタン２１ａと「読み取りスタート」ボタン２１ｂを配置した待機画面２１を表示させ（ステップＳ３０１）、この状態で、ユーザーが「ファイル名候補の設定」ボタン２１ａを押下するのを監視する待機状態となる（ステップＳ３０２）。制御部４９は、選択部７を介してユーザーによる「ファイル名候補の設定」ボタン２１ａ（図４）の押下が検出されると、タッチパネル６ａ（図１）に、図２０に示す「コードデータ・命名規則対応付け」画面４７を表示する（ステップＳ３０３）。この画面４７には、コードデータ格納部４３から読み出されたコードデータを表示する欄４７ｂとこのコードデータの命名規則を入力する命名規則記入欄４７ｃが表示される。
【００６４】
次に、ユーザーが、「コードデータ・命名規則対応付け」画面４７（図２０）の下部にあるスクリーンキーボード４７ａを用いて行なう、後述する命名規則入力が行なわれるのを監視する（ステップＳ３０４）。尚、ここでいう命名規則とは、ファイル名候補を生成するために必要なデータのことである。以上のようにして命名規則入力が行なわれてユーザーがその入力を確定させるべく、「コードデータ・命名規則対応付け」画面４７（図２０）内にある「決定」ボタン４７ｅを押下するのを監視する（ステップＳ３０５）。やがてこの「決定」ボタン４７ｅの押下を確認すると、選択部７（図１）によって、第３の記憶部４６に、表示中のコードデータ１と入力が確定した命名規則を対応させて保存する（ステップＳ３０６）。尚、入力が確定した命名規則は、図２１に示すように、コードデータ１と対応させて第３の記憶部４６に保存される。
【００６５】
ここで、前述の命名規則の設定と適用の例について説明する。
【００６６】
命名規則を設定する際には、固定的な文字列を指定する「固定値」、変数を示す「％」、及び選択される文字列を指定する「選択値」の各命令文を用い、これらの命令文に必要な文字を付加して、命名規則記入欄４７ｃに上から順次記入していく。例えば、図２０に示す例では、命名規則記入欄４７ｃの最上位行から順に「固定値＝見積書」、「％日付」、「％時間」、「固定値＝扱い」、「選択値＝山田、田中、小林」と記入されている。装置は、このようにして設定された命名規則に則ってファイル名候補を生成するが、その場合、最上位行から順に各命令文に基づいて変換された文字列が、順次後段に並べられたファイル名候補を生成する。図２３は、上記した命名規則に基づいて生成されたファイル名候補の一例を示している。
【００６７】
上記したように、命名規則記入欄４７ｃの最上位行から順に「固定値＝見積書」、「％日付」、「％時間」、「固定値＝扱い」、「選択値＝山田、田中、小林」が記入され、この命令規則に基づいてファイル名候補が生成される場合、図２３に示すように、先ず「固定値＝見積書」の指示に基づいて「見積書」が固定的な文字列として付与され、その後に「％日付」の指示に基づいて、例えば「２００４年１月１日」のように画像データを読み取った日付が文字列として付与され、その後に「％時間」の指示に基づいて、例えば「１０時１１分」のように画像データを読み取った時刻が文字列として付与され、その後に「固定値＝扱い」の指示に基づいて「扱い」が固定的な文字列として付与される。
【００６８】
更に、「選択値＝山田、田中、小林」の指示に基づいて、上記した一連の文字列の後に、それぞれ「山田」、「田中」、又は「小林」の文字列を選択して付加した合計３種類のファイル名候補が生成される。
【００６９】
上記したように、ステップＳ３０６で、第３の記憶部４６に表示中のコードデータ１と入力が確定した命名規則とを対応して保存すると、その後装置は、ステップＳ３０１に戻って、再び待機状態となるため、上記した「ファイル名候補の設定動作」を繰り返し実行することができる。
【００７０】
次に、「コードデータ・命名規則対応付け」画面４７（図２０）によって設定したファイル名規則を用いて、読み取った画像データに対してファイル名を付与する「ファイル名付与動作」について説明する。図２２は、この「ファイル名付与動作」の流を示すフローチャートであり、このフローチャートを参照しながら、「ファイル名付与動作」について以下に説明する。
【００７１】
装置が稼動してプログラムがスタートすると、制御部４９（図１８）は、ユーザーに対して、後述する前処理を促し、且つ実行するための画像（図示せず）をタッチパネル６ａ（図２）に表示する。その表示内容は、上記した方法で予め設定した、所望の命名規則に対応するコードデータと同じ模様（例えば、バーコード）を、入力する原稿の先頭ページの所定位置に記入するように促すメッセージを表示すると共に、Ｅメールを送信するための宛先、件名を入力する欄を表示する（ステップＳ３１１）。そしてユーザーが、表示された処理を実行して、その完了を通知すべく、タッチパネル６ａ上の完了ボタン（図示せず）を押下するのを監視する（ステップＳ３１２）。
【００７２】
やがてユーザーによって、この完了ボタンが押下されると、制御部４９は、図４に示すように、表示部６のタッチパネル６ａ（図２）に「ファイル名候補の設定」ボタン２１ａと「読み取りスタート」ボタン２１ｂを配置した待機画面２１を表示させ（ステップＳ３１３）、この状態で、ユーザーが「読み取りスタート」ボタン２１ｂを押下するのを監視する待機状態となる（ステップＳ３１４）。
【００７３】
ユーザーは、「ファイル名付与動作」を実行する場合、画像処理装置１の載置ガラス１４（図２）上に原稿をセットした後、「読み取りスタート」ボタン２１ｂを押下して読み取りを指示するが、制御部４９は、選択部７を介してユーザーによるこの「読み取りスタート」ボタン２１ｂの押下を検出すると、原稿センサ１３によって読み取り原稿がセットされているのを確認し（ステップＳ３１５）、画像入力部１を制御して画像の読み取りを実行する（ステップＳ３１６）。もし原稿がセットされていない場合は、ステップＳ２１３で原稿がセットされるまで待機するが、ここで、原稿をセットするように促す表示を行なうようにしても良い。そして制御部４９は、読取った画像を電子ファイル化し、電子ファイル化した画像データをＲＡＭ４に一時保存する（ステップＳ３１７）。
【００７４】
コード処理部４２は、読み取った画像から、ユーザーが書き込んだ手書きのコードデータ模様の記入領域を抽出し、このコードデータ模様と一致するコードデータが、対応する命令規則と共に第３の記憶部４６に保存されているか否かの検査を開始する（ステップＳ３１８）。検査は、左から出現する黒ビットの出現回数をチェックして行なう（ステップＳ３１９）。黒ビットの出現回数が登録したコードデータの出現回数と一致しない場合は、命名規則を適用せず、単に“Ｆｉｌｅ”と“通し番号”を結合したファイル名を用意する（ステップＳ３２１）。
【００７５】
一方、チェックした黒ビットの出現回数と同数の黒ビットを有するコードデータが、対応する命名規則と共に第３の記憶部４６に保存されている場合は、その命名規則を適用し（ステップＳ３２０）、これに則って前記した方法でファイル名候補を生成し（ステップＳ３２２）、生成したファイル名候補をタッチパネル６ａに表示する（ステップＳ３２３）。図２４は、この時タッチパネル６ａに表示される「ファイル名選択」画面４８を示す。
【００７６】
尚、ステップＳ３１８及びステップＳ３１９の動作をより具体的に説明すると、例えば、先ずチェックした黒ビットの出現回数と同数の黒ビットを有するコードデータが、コードデータ格納部４３（図１８）に格納されているか否かを判断し、ここに格納されている場合、更にそのコードデータに付されたコードデータ番号を有するコードデータが、対応する命令規則と共に第３の記憶部４６に保存されているか否かを検査する。そして、第３の記憶部４６に該当するコードデータが存在する場合のみ、ステップＳ３２０に進み、他の場合にはステップＳ３２１に進むようにしている。
【００７７】
図２４の「ファイル名選択」画面４８は、前記した図２０に示すコードデータ１が選択された場合を例にして、この時生成されるファイル名候補を表示している。このように、図２０に示すコードデータ１が選択された場合、これらのファイル名候補は、第３の記憶部４６に保存された図２１に示す命令規則によって生成され、図２３に示す、「山田」、「田中」、又は「小林」の部分を異にする３種類のファイル名候補となる。図２４の「ファイル名選択」画面４８には、これ等の３種類のファイル名候補を有する各ファイル名候補表示領域４８ａ，４８ｂ，４８ｃと共に、前記したステップＳ３２１を経由する場合に生成されるファイル名候補を有するファイル名候補表示領域４８ｄが同時に表示される。
【００７８】
次にユーザーは、表示された「ファイル名選択」画面４８を参照し、表示されたファイル名候補の一欄から、ＲＡＭ４に一時保存されている画像データに最も適するファイル名候補をファイル名として選び、そのファイル名候補が表示されているファイル名候補表示領域（ファイル名候補表示領域４８ａ〜４８ｄの何れか）を押下する。制御部４９は、ユーザーによるこのファイル名候補表示領域の押下を監視し（ステップＳ３２４）、やがてこのファイル名候補表示領域の押下を確認すると、ここで押下したファイル名候補表示領域のファイル名候補をファイル名として、例えば第３の記憶部４６の別領域に保存する（ステップＳ３２５）。但し、ステップＳ３２１を経由する場合は、ファイル名として、ステップＳ３２１で生成したファイル名候補、例えば「Ｆｉｌｅ００２．ｐｄｆ」が無条件で付けられる。
【００７９】
Ｅメール制御部４４は、画像入力部１により読み取られ、ＲＡＭ３１に一時保持される画像データに、この時選択されたファイル名を対応させた画像データファイルを、添付ファイルとして添付させたＥメールを送信する（ステップＳ３２６）。その後装置は、ステップＳ３１３に戻って再び待機状態となるため、上記した「ファイル名付与動作」を繰り返し実行することができる。尚、ステップＳ３２６では、Ｅメールの添付ファイルとしてこの画像データファイルを添付して送信する前に、前記した各実施の形態と同様に、第１の記憶部８に保存するようしても良い。
【００８０】
尚、本実施の形態では、Ｅメールに添付する画像データのファイル名を付与する例を示したが、同様の手順で、添付ファイル名だけでなく、Ｅメールの件名の設定にも適用可能である。
【００８１】
以上のように実施の形態３の画像処理装置４１によれば、原稿の一部にコードデータを付加することによってファイル名候補を抽出することができるので、前記した実施の形態１の装置の効果に加えて、ユーザーが所望するファイル名候補の表示を簡単に設定することが出来るため、操作性の向上を図ることができる。また、読み込んだ画像データをＥメールの添付ファイルとして、簡単に設定することができる。
【図面の簡単な説明】
【００８２】
【図１】本発明による実施の形態１の画像処理装置における信号処理系の要部構成を示すブロック図である。
【図２】実施の形態１の画像処理装置の要部外観図である。
【図３】実施の形態１の画像処理装置が行なう「ファイル名候補の設定動作」の流れを示すフローチャートである。
【図４】待機状態時に、タッチパネルに表示される待機画面の説明に供する図である。
【図５】実施の形態１で、ファイル名候補の設定動作時にタッチパネルに表示される「ファイル名候補設定」画面の説明に供する図である。
【図６】実施の形態１で、第２の記憶部に記録される、キークループとキーデータの関係の説明に供する図である。
【図７】実施の形態１の画像処理装置が行なう「ファイル名付与動作」の流れを示すフローチャートである。
【図８】実施の形態１で、生成されるファイル名候補の構成の説明に供する図である。
【図９】実施の形態１で、生成したファイル名候補をタッチパネルに表示する「ファイル名選択」画面の説明に供する図である。
【図１０】実施の形態１で、別の動作例を説明するために、その部分的な動作を示すフローチャートである。
【図１１】本発明による実施の形態２の画像処理装置における信号処理系の要部構成を示すブロック図である。
【図１２】実施の形態２の画像処理装置が行なう「ファイル名候補の設定動作」の流れを示すフローチャートである。
【図１３】実施の形態２で、ファイル名候補の設定動作時にタッチパネルに表示される「ファイル名候補設定」画面の説明に供する図である。
【図１４】実施の形態２で、第２の記憶部に記録される、キークループとキーデータの関係の説明に供する図である。
【図１５】実施の形態２の画像処理装置が行なう「ファイル名付与動作」の流れを示すフローチャートである。
【図１６】実施の形態２で、生成されるファイル名候補の構成の説明に供する図である。
【図１７】実施の形態２で、生成したファイル名候補をタッチパネルに表示する「ファイル名選択」画面の説明に供する図である。
【図１８】本発明による実施の形態３の画像処理装置における信号処理系の要部構成を示すブロック図である。
【図１９】実施の形態３の画像処理装置が行なう「ファイル名候補の設定動作」の流れを示すフローチャートである。
【図２０】実施の形態３で、ファイル名候補の設定動作時にタッチパネルに表示される「コードデータ・命名規則対応付け」画面の説明に供する図である。
【図２１】実施の形態３で、第３の記憶部に記録される、コードデータと命名規則の関係の説明に供する図である。
【図２２】実施の形態３の画像処理装置が行なう「ファイル名付与動作」の流れを示すフローチャートである。
【図２３】実施の形態３で、生成されるファイル名候補の構成の説明に供する図である。
【図２４】実施の形態３で、生成したファイル名候補をタッチパネルに表示する「ファイル名選択」画面の説明に供する図である。
【符号の説明】
【００８３】
１，３１，４１  画像処理装置、
２  画像入力部、
３，３３，４９  制御部、
４  ＲＡＭ、
５  第２の記憶部、
６  表示部、
６ａ  タッチパネル、
７  選択部、
８  第１の記憶部、
１１  装置本体、
１２  原稿カバー、
１３  原稿センサ、
１４  載置ガラス、
２１  待機画面、
２１ａ  「ファイル名候補の設定」ボタン、
２１ｂ  「読み取りスタート」ボタン、
２２，３４  「ファイル名候補設定」画面、
２２ａ，３４ａ  スクリーンキーボード、
２２ｂ，３４ｂ  キーグループ１の領域、
２２ｃ，３４ｃ  キーグループ２の領域、
２２ｄ，３４ｄ  キーデータの領域、
２２ｅ，３４ｅ  「決定」ボタン、
２５，３５  「ファイル名選択」画面、
３２  画像データ解析部、
４２  コード処理部、
４３  コードデータ格納部、
４４  Ｅメール処理制御部、
４５  ネットワークインターフェース、
４６  第３の記憶部、
４７  「コードデータ・命名規則対応付け」画面、
４７ａ  スクリーンキーボード、
４７ｂ  コードデータを表示する欄、
４８  「ファイル名選択」画面。
【図１】
2006072892.tif 000003
【図２】
2006072892.tif 000004
【図３】
2006072892.tif 000005
【図４】
2006072892.tif 000006
【図５】
2006072892.tif 000007
【図６】
2006072892.tif 000008
【図７】
2006072892.tif 000009
【図８】
2006072892.tif 000010
【図９】
2006072892.tif 000011
【図１０】
2006072892.tif 000012
【図１１】
2006072892.tif 000013
【図１２】
2006072892.tif 000014
【図１３】
2006072892.tif 000015
【図１４】
2006072892.tif 000016
【図１５】
2006072892.tif 000017
【図１６】
2006072892.tif 000018
【図１７】
2006072892.tif 000019
【図１８】
2006072892.tif 000020
【図１９】
2006072892.tif 000021
【図２０】
2006072892.tif 000022
【図２１】
2006072892.tif 000023
【図２２】
2006072892.tif 000024
【図２３】
2006072892.tif 000025
【図２４】
2006072892.tif 000026